(57)【要約】【課題】帳票上のレイアウトが変更になった場合でも、装置内の設定情報を変更することなく、旧帳票と同様の読取精度を維持したまま、新帳票を読込ことができる帳票読込プログラムを提供する。【解決手段】帳票内の文字を認識させる帳票読取プログラムであって、帳票上のフィールドを抽出するステップと、上記フィールドに対して所定位置に記載されているこのフィールドの識別コードを検出するステップと、予め記憶された上記識別コードに対応するフィールド属性情報を読み出すステップと、上記フィールド属性情報に基づき上記フィールド内に記入された情報の内容および上記フィールドに対して規定された項目を認識するステップと、をコンピュータに実行させる。【選択図】  図１
2004164376.tif 000002
【特許請求の範囲】
【請求項１】
帳票内の文字を認識させる帳票読取プログラムにおいて、
帳票上のフィールドを抽出するステップと、
前記フィールドに対して所定位置に記載されているこのフィールドの識別コードを検出するステップと、
予め記憶された前記識別コードに対応するフィールド属性情報を読み出すステップと、
前記フィールド属性情報に基づき前記フィールド内に記入された情報の内容および前記フィールドに対して規定された項目を認識するステップと、
をコンピュータに実行させることを特徴とする帳票読取プログラム。
【請求項２】
情報記入用のフィールドを有し、このフィールドに対する所定位置に、コンピュータがフィールドを識別するとともにフィールド内に記入された情報とフィールドに対して規定された項目を認識するためのフィールド属性情報を記憶装置から読み出すためのフィールドの識別コードが記載された帳票。
【請求項３】
帳票を作成する帳票作成プログラムにおいて、
帳票上のフィールドを抽出するステップと、
予め記憶された前記フィールド内に記入される情報の項目と該情報の内容を認識するための前記フィールドの識別コードを読み出すステップと、
前記読み出された識別コードを前記フィールドに対する所定位置に付加するステップと、
をコンピュータに実行させることを特徴とする帳票作成プログラム。
【発明の詳細な説明】
【０００１】
【発明の属する技術分野】
本発明は、帳票のフィールドデータとフィールドの属性とを認識可能とすることによる帳票のフォーマットに依存しない帳票読み込み方法に関する。
【０００２】
【従来の技術】
従来、帳票フォーマット内に記載されている文字やデータの読取方法には、以下の方法がある。例えば、特開平９−２５９２２１号公報（特許文献１）に示されているように、帳票のフィールドの位置を罫線パタンとして抽出し、抽出した罫線パタンと予め装置内に罫線パタンにより示される帳票フォーマットの特徴として保持されている辞書データとを照合して、帳票フォーマットの種別を識別する。帳票フォーマットの識別結果に基づいて、データ帳票上に記載されている文字を抽出し、抽出した文字と予め装置内に文字パタンの特徴として保持されている辞書データとを照合して帳票上の文字を認識していた。即ち、帳票フォーマットの種別を識別することで、帳票上に記載された文字を読み取るための情報を取得し、帳票上に記載されている文字を認識していた。
【０００３】
また、帳票のフォーマットの違いに対応可能な帳票データの読取方法には、以下の方法がある。例えば、特開２０００−２９９８６号公報（特許文献２）に示されているように、帳票内に記載された項目名を文字認識し、予め装置内に登録してある帳票のフォーマット情報に基づき、認識した項目名の種類に応じて項目内容を読み取っていた。即ち、項目名自体を読み取ることにより、その項目（フィールド）の属性を判断し、属性に応じて項目の内容を読み取っていた。
【０００４】
その他に、本発明に関連する技術として、罫線の抽出方法が、特開２０００−３３９４０６号公報に示されている。
【０００５】
【特許文献１】
特開平９−２５９２２１号公報（段落００５９、段落０１５４、図８）
【特許文献２】
特開２０００−２９９８６号公報（段落０００５）
【特許文献３】
特開２０００−３３９４０６号公報（段落００３２、段落００７５〜段落００７８）
【０００６】
【発明が解決しようとする課題】
しかしながら、従来のような帳票の読取方法は、以下の問題があった。例えば、罫線パタンから帳票のフォーマットを識別することにより、帳票上に記載された文字を認識するためには、予め帳票の罫線（フィールド）の位置情報をフィールド毎に設定しておく必要がある。従って、帳票上のレイアウトに変更があった場合（帳票上のフィールド位置に変更が生じた場合）には、装置内の設定情報をその都度変更する必要があった。
【０００７】
また、帳票内に記載された項目名を読み取ることにより、項目名の種類に応じて項目内容を読み取るためには、項目名の文字認識において、漢字等の複雑な文字を読み取る際に、文字の読取精度を安定させることが困難であった。
【０００８】
本発明は、このような問題を解決し、帳票上のレイアウトが変更になった場合（帳票上のフィールド位置が変更になった場合でも）でも、装置内の設定情報を変更することなく、旧帳票と同様の読取精度を維持したまま、新帳票を読込ことができる帳票読込方法を提供することを目的とする。
【０００９】
【課題を解決するための手段】
上記問題を解決するため、本発明は以下のような構成をとる。本発明は、帳票内の文字を認識させる帳票読取プログラムであって、
帳票上のフィールドを抽出するステップと、
上記フィールドに対して所定位置に記載されているこのフィールドの識別コードを検出するステップと、
予め記憶された上記識別コードに対応するフィールド属性情報を読み出すステップと、
上記フィールド属性情報に基づき上記フィールド内に記入された情報の内容および上記フィールドに対して規定された項目を認識するステップと、
をコンピュータに実行させる。
【００１０】
本発明によれば、まず、帳票上の各フィールドを抽出する。抽出したフィールドに対して所定位置に記載されている上記フィールドを識別するための識別コードを検出する。装置内には、フィールドを特定するフィールド属性情報を予め記憶させておく。この記憶されたフィールド属性情報に基づいて、検出した識別コードに対応するフィールド属性情報を読み出す。読み出したフィールド属性情報に基づいて、フィールド内に記入された情報の内容およびこのフィールドに対して規定された項目を認識する。従って、帳票上のフィールドから、領域内に存在する情報を特定する識別コードを検出することにより、帳票上のレイアウトが変更になっても、装置内の設定を変更することなく、旧帳票と同様に帳票内のデータを読取ることができる。
【００１１】
また、本発明に使用する帳票は、情報記入用のフィールドを有し、このフィールドに対する所定位置に、コンピュータがフィールドを識別するとともにフィールド内に記入された情報とフィールドに対して規定された項目を認識するためのフィールド属性情報を記憶装置から読み出すためのフィールドの識別コードが記載されている。
【００１２】
本発明によれば、帳票上に存在する各フィールドに対する識別コード（例えば、文字コードやバーコード）を付加することにより、帳票上のフィールド（項目）を識別する識別子をコードとして一律に認識することができる。例えば、帳票により表示が異なる「お名前」、「氏名」という項目を「名前」として一律に認識することができる。
【００１３】
また、本発明は、上記帳票を作成する帳票作成プログラムであって、
帳票上のフィールドを抽出するステップと、
予め記憶された上記フィールド内に記入される情報の項目と該情報の内容を認識するための上記フィールドの識別コードを読み出すステップと、
上記読み出された識別コードを上記フィールドに対する所定位置に付加するステップと、
をコンピュータに実行させる。
【００１４】
本発明によれば、まず、帳票上の各フィールドを抽出する。装置内には、フィールド内に記入される情報の項目とその情報の内容を認識するためのフィールド毎の識別コードを予め記憶させておく。この記憶された情報を用いて、抽出したフィールドに対応する識別コードを読み出す。読み出された識別コードを各フィールドに対する所定位置に付加する。これにより、帳票上の各フィールドを識別する識別コードが付加された帳票を作成することができる。
【００１５】
【発明の実施の形態】
以下に図面を参照して、この発明の好適な実施の形態を説明する。
（実施の形態１）
図１は、本発明の実施形態における帳票読取方法を提供する帳票読取装置のシステムの一例を示すブロック図である。帳票読取装置１は、周辺機器としてイメージリーダー１０とインターフェースを介して接続されている。イメージリーダー１０は、帳票を光学的に読み取ることができる画像情報入力装置（例えば、スキャナ）により構成される。インターフェースは、ＵＳＢ（Ｕｎｉｖｅｒｓａｌ  Ｓｅｒｉａｌ  Ｂｕｓ）により構成される。帳票読取装置１は、イメージリーダー１０から帳票をイメージデータとして取り込むことにより機能する。以下に、帳票読取装置１の構成例について図１を用いて説明する。
【００１６】
＜帳票読取装置＞
帳票読取装置１は、パソコン（ＰＣ）やワークステーション（ＷＳ）等のコンピュータで構成され、ＣＰＵ１１と、記憶部１２と、図示しないが、入出力部と、通信制御部とを備えている。帳票読取装置１は、記憶部１２に記憶された各種プログラムをＣＰＵ１１上で実行することにより実現される。ＣＰＵ１１は、罫線抽出部１１ａと、フィールドＩＤ抽出部１１ｂと、属性決定部１１ｃと、文字認識部１１ｄとを備える。記憶部１２は、フィールドＩＤ位置情報ファイル１２ａと、フィールド属性情報ファイル１２ｂとを備える。以下、帳票読取装置１が備える各構成要素について説明する。
【００１７】
《罫線抽出部》
罫線抽出部１１ａは、イメージデータとして取り込まれた帳票内のフィールドを罫線として抽出する。ここでは、罫線で囲まれた四角の領域（フィールド枠）とフィールド内に記載されている内容データとが罫線として抽出される。罫線は、座標データとして抽出され、縦罫線及び横罫線が開始座標、終点座標として示される。この罫線の抽出方法は、例えば、特開２０００−３３９４０６号公報に示された方法を適用することができる。
【００１８】
《フィールドＩＤ抽出部》
フィールドＩＤ抽出部１１ｂは、罫線抽出部１１ａにより抽出した四角の領域（フィールド枠）の右下から一定距離離れた位置にある領域を切り出し、切り出した領域内の数字を認識してフィールドＩＤとして設定する。即ち、抽出したフィールド枠の罫線座標データとフィールドＩＤ位置情報ファイル１２ａに格納してある情報とに基づいて、フィールド枠の右下辺りに示された数字（タグ）を文字認識し、その認識結果をフィールドを識別するための識別子として設定する。
【００１９】
《属性決定部》
属性決定部１１ｃは、フィールドＩＤ抽出部１１ｂにより抽出されたフィールドＩＤに基づいて、フィールド属性情報ファイル１２ｂに格納してあるフィールドＩＤに対応付けられている情報からフィールド内の文字列の属性を決定する。
【００２０】
《文字認識部》
文字認識部１１ｄは、属性決定部１１ｃにより決定したフィールド内の文字列の属性を元に、罫線抽出部１１ａにおいて認識したフィールド内に記載されている内容データを文字として認識する。
【００２１】
＜帳票のフォーマット＞
図２は、本発明の実施形態に用いられる帳票フォーマットの一例を示す図である。この帳票は、銀行で新規に口座を開設する時に用いられる、ご新規申込書である。帳票には、新規に口座を開設する顧客の名前、住所、入金金額、口座の種別を記入するフィールド（項目）がある。口座の種別は、総合、普通、定期により示される。帳票内の各フィールドの近傍、例えば、右下にはそのフィールドの内容を識別するための識別子としてＩＤが付記される。このＩＤは、例えば、図２に示すように、複数桁（この例では、３桁）の数字の組み合わせにより示され、フィールドの属性を示すフィールドＩＤとして機能する。
【００２２】
＜データ構成＞
次に、記憶部１２に備わるフィールドＩＤ位置情報ファイル１２ａ、フィールド属性情報ファイル１２ｂのデータ構造について説明する。
【００２３】
図３は、フィールドＩＤ位置情報を示すデータ構造の例である。フィールドＩＤ位置情報は、フィールド位置情報ファイル１２ａにおいて定義される。フィールドＩＤ位置情報には、抽出されたフィールド枠の罫線座標データ（Ｘ，Ｙ）に対する起点座標（Ｘ，Ｙ）、終点座標（Ｘ，Ｙ）のオフセット量がそれぞれ示される。即ち、フィールドＩＤ位置情報には、各フィールド罫線に対して、どの位置にＩＤがあるのかを決定するための情報が定義される。従って、フィールドＩＤ位置情報は、全てのフィールドに対して固定的に定義されており、システム全体としては１つだけ定義すればよい。また、複数のフィールド位置情報が設定されてもよい。
【００２４】
また、図４（Ｂ）に示す従来のフィールド属性情報のように、各フィールド毎に位置を示すパラメータを設ける必要をなくすことができる。
【００２５】
図４（Ａ）は、フィールド属性情報を示すデータ構造の例であり、図４（Ｂ）は、比較例としての従来のフィールド属性情報を示す図である。フィールド属性情報は、フィールド属性情報ファイル１２ｂにおいて定義される。フィールド属性情報には、図４に示すように、各フィールドＩＤに関連づけて、項目ＩＤ、文字属性、文字数、知識変換、知識辞書等の情報が定義されている。項目ＩＤは、プログラムが当該データを認識するための識別番号である。文字属性、文字数は、フィールド内に記入されている文字列の属性を示す情報である。例えば、文字属性には、文字（ＮＣＨＲ）であるか、数字（ＭＵＮ）であるかの情報が示される。また、文字数には、列なる文字の数が示される。知識変換は、フィールド内の文字を認識する際の手がかりとなる情報（知識辞書）があるか否かを示す。知識変換は、知識辞書の有無をＹ，Ｎにより示す。知識辞書は、図４に示すように、知識辞書があり（Ｙ）の場合、該当する知識辞書を示す情報を示す。ここでは、フィールドの内容（項目）がＮＡＭＥ（名前）である例が示されている。知識辞書の種別は、フィールド内に記入される項目種別によって決まる。例えば、その他の知識辞書として、ＡＤＤＲＥＳＳ（住所）等を用いることもできる。例えば、フィールドの内容（項目）がＡＤＤＲＥＳＳに該当する場合であって、フィールド内容が文字認識において、「東京都太田区」という記入データを「東京都大田区」と正規な地名として認識するように機能する。
【００２６】
＜処理フロー＞
次に、帳票読取装置１の処理について、図５，６を用いて説明する。
【００２７】
《帳票の読込処理》
図５は、帳票読取装置における帳票の読取処理を示すフローチャート例である。この処理は、帳票読取装置１内のＣＰＵ１１が罫線抽出部１１ａと、フィールドＩＤ抽出部１１ｂと、属性決定部１１ｃと、文字認識部１１ｄを実現するための各種プログラムをそれぞれ実行することにより行われる。
【００２８】
まず、イメージリーダー１０から帳票フォーマットをイメージデータとして読み込み帳票読取装置１の記憶部１２に取り込む（Ｓ１）。
【００２９】
帳票読取装置１では、罫線抽出部１１ａにおいて、取り込んだ帳票のイメージデータから各フィールドを規定する罫線を抽出する（Ｓ２）。即ち、罫線で囲まれた四角の領域（フィールド枠）とフィールド内に記入されている内容データを罫線として抽出する。この時、罫線は、起点と終点とが座標データ（Ｘ，Ｙ）として抽出される。抽出したフィールド枠とフィールド内の内容データとは、対で記憶部１２に記憶される。
【００３０】
次に、フィールドＩＤ抽出部１１ｂにおいて、Ｓ２により抽出されたフィールドの罫線座標データとフィールドＩＤ位置情報とに基づいて、各フィールド（項目）の右下辺りに付記されているフィールドＩＤを抽出する（Ｓ３）。即ち、各フィールド（項目）毎に付記されているフィールドＩＤの位置を抽出し、抽出した位置に示されている数字をそれぞれ文字認識して、認識した文字（数字）を当該フィールドに対するフィールドＩＤとして設定する。
【００３１】
次に、属性決定部１１ｃにおいて、フィールド属性情報に基づいて、Ｓ３により設定されたフィールドＩＤに対応する文字（文字列）の属性を決定する（Ｓ４）。ここでは、フィールド属性情報として定義されている各フィールドＩＤに対応づけられた文字認識に必要な情報（文字属性、文字数、知識変換、知識辞書）と、項目ＩＤとを読み出す。文字認識に必要なこれらの情報は、処理プログラム（文字認識部）が当該情報を認識するための識別情報としての役割をする項目ＩＤと共に文字認識部１１ｄに渡される。文字認識部１１ｄでは、渡された文字認識に必要な情報と罫線抽出部１１ａで認識したフィールド内の内容データとを関連づけてフィールド内の内容データを文字として認識する（Ｓ５）。
【００３２】
なお、上述したＳ２の罫線の抽出は、本発明の抽出するステップに相当する。また、Ｓ３のフィールドＩＤの抽出は、本発明の検出するステップに相当する。また、Ｓ４の文字（文字列）の属性の決定は、本発明のフィールド情報を読み出すステップに相当する。また、Ｓ５のフィールド内の内容データの文字認識は、本発明の項目を認識するステップに相当する。
【００３３】
これにより、帳票読取装置１では、帳票内の各フィールドの罫線データからフィールドＩＤを抽出することにより、予め定義されているフィールドＩＤとの対応関係に基づいて当該フィールドに対する文字列の属性を認識することができ、認識した文字列の属性を利用してフィールド内の内容データを文字認識することができる。また、項目ＩＤにより認識された文字列の項目を識別できる。従って、帳票によりフィールドの位置が異なっている場合（レイアウトが変更になった場合）でも、帳票内のフィールド位置に関係なく、各フィールドに記入された文字列、及びその項目を文字認識することができる。以下に、Ｓ３におけるフィールドＩＤの抽出処理について詳しく説明する。
【００３４】
《フィールドＩＤの抽出処理》
図６は、フィールドＩＤの抽出処理を示すフローチャート例である。この処理は、フィールドＩＤ抽出部１１ｂが主体となり動作する。図５に示されるＳ３では、Ｓ２において、罫線で囲まれた四角の領域（フィールド）が座標データとして抽出された際に、罫線を構成する終点座標（Ｘ，Ｙ）のみを取得する（Ｓ１０）。即ち、罫線で囲まれた四角の領域（フィールド）の右下を終点座標（Ｘ，Ｙ）として取得する。取得した終点座標（Ｘ，Ｙ）は、フィールドＩＤの位置を特定する基準となる。取得した終点座標（Ｘ，Ｙ）とフィールドＩＤ位置情報に定義されているデータとに基づいて、各フィールドに対するフィールドＩＤが存在する領域の起点を計算する（Ｓ１１）。ここでは、取得した終点座標（Ｘ，Ｙ）にフィールドＩＤ位置情報に定義されている起点に対する座標Ｘ，Ｙのオフセット量をそれぞれ加算する。次に、Ｓ１０において取得した終点座標（Ｘ，Ｙ）とフィールドＩＤ位置情報に定義されているデータとに基づいて、各フィールドに対するフィールドＩＤが存在する領域の終点を計算する（Ｓ１２）。ここでは、取得した終点座標（Ｘ，Ｙ）にフィールドＩＤ位置情報に定義されている終点に対する座標Ｘ，Ｙのオフセット量をそれぞれ加算する。Ｓ１１とＳ１２とにおいて、計算されたフィールドＩＤの起点（Ｘ）とフィールドＩＤの終点（Ｙ）とから構成される領域内に存在するフィールドＩＤを数字の組み合わせとして文字認識する（Ｓ１３）。認識した数字の組み合わせを当該フィールドを識別するためのフィールドＩＤとして設定する（Ｓ１４）。
【００３５】
これにより、フィールド枠を構成する罫線の座標データからフィールドＩＤを文字として抽出することができる。また、フィールドＩＤは、０〜９という規定された数字を組み合わせることにより示されているため、文字（平仮名、漢字等）に比べて、高い認識率でフィールドＩＤを認識することができる。
【００３６】
＜変形例＞
上記の実施形態では、図２に示すように、帳票フォーマット内のフィールドに対するフィールドＩＤを数字の組み合わせとしていた。しかし、本発明では、図７に示すように、フィールドＩＤを数字の組み合わせではなく、バーコードとしてもよい。また、フィールドＩＤであるバーコードを付記する位置としては、例えば、図７に示すように、罫線上でもよい。これにより、各フィールドに対するフィールドＩＤをバーコードとして認識することができ、フィールドＩＤの認識率をさらに高めることができる。
【００３７】
＜帳票の作成方法＞
次に、フィールドＩＤが記入された帳票の作成方法について説明する。図８は、帳票作成装置の構成例を示す図である。帳票作成装置２は、図１に示したような帳票読取装置の構成を利用できる。帳票読取装置１と異なる点は、次の通りである。
【００３８】
（Ａ）記憶部１２が、フィールドＩＤが記入されていない状態の帳票のイメージデータを記憶している。但し、当該イメージデータの入手経路は問わず、ダウンロードや可搬性記録媒体からの読取等によって入手できる。
【００３９】
（Ｂ）記憶部１２に記憶されたフィールド属性情報ファイル１２ｃが、図４（Ａ）と異なり、図８に示すようなフィールドＩＤとフィールドの属性情報との対応テーブルとしての構造を持つ。但し、フィールドＩＤ位置情報ファイル１２ａとフィールド属性情報ファイル１２ｂとは別個に、図９に示すような、フィールドＩＤとフィールド属性情報との対応テーブル１２ｄを持つようにしても良い。
【００４０】
（Ｃ）ＣＰＵ１１が各種のプログラムの実行により、フィールド抽出部１１ａ，フィールドＩＤ決定部１１ｅ，フィールドＩＤ付加部１１ｆ，印刷制御部１１ｇを実現し、帳票作成装置に接続されるプリンタを制御して、帳票のイメージをシートに印刷できるようになっている。
【００４１】
上記のような帳票作成装置の動作例は、次の通りである。図１０は、動作例を示すフローチャートである。
【００４２】
（Ｓ２１）記憶部１２から帳票のイメージデータが読み出されると、フィールド抽出部１１ａは、上記と同様の手法により、イメージデータ中の各フィールド（罫線枠）を抽出する。
【００４３】
（Ｓ２２）フィールドＩＤ決定部１１ｅは、フィールド属性情報ファイル１２ｃを参照し、フィールド属性情報Ｓ２１にて抽出された各フィールドの属性情報に対応するフィールドＩＤを読み出す。
【００４４】
（Ｓ２３）フィールドＩＤ付加部は、読み出された帳票のイメージデータに対し、フィールドＩＤ位置情報ファイル１２ａの情報で規定されている位置に、各フィールドに対応するフィールドＩＤが記載されるように、読み出された帳票のイメージデータの編集処理を行い、フィールドＩＤを帳票に付加する。編集されたイメージデータは、記憶部１２に保存されるようにしても良い。
【００４５】
（Ｓ２４）印刷制御部１１ｇは、プリンタを制御し、編集されたイメージデータをプリンタに印刷出力させる。
【００４６】
なお、Ｓ２３で作成されたイメージデータは、記憶部１２に保存され、Ｓ２４の処理が必要に応じて行われるようにしても良い。また、上記Ｓ２１〜Ｓ２３の処理は、フィールド毎に繰り返して行われるようにしても良い。また、作成装置が、シートに印刷された帳票（フィールドＩＤを含まない）に新たにフィールドＩＤを追加印刷することで、帳票にフィールドＩＤを付加するようにしても良い。この場合には、イメージデータを編集するＳ２３を省略するようにしても良い。
【００４７】
なお、上述したＳ２１のフィールドの抽出は、本発明の抽出するステップに相当する。また、Ｓ２２のフィールドＩＤの読み出しは、本発明の識別コードを読み出すステップに相当する。また、Ｓ２３のフィールドＩＤの付加は、本発明の付加するステップに相当する。
【００４８】
【発明の効果】
本発明によれば、帳票内のフィールド罫線から各フィールドに対するフィールドＩＤを抽出することにより、帳票上のレイアウトが変更になった場合（帳票上のフィールド位置が変更になった場合でも）でも、装置内の設定情報を変更することなく、旧帳票と同様の読取精度を維持したまま、新帳票を読取ることが可能となる。
【図面の簡単な説明】
【図１】本発明の実施形態における帳票読取方法を提供する帳票読取装置のシステムの一例を示すブロック図である。
【図２】本発明の実施形態に用いられる帳票フォーマット例（１）を示す図である。
【図３】フィールドＩＤ位置情報を示すデータ構造の例である。
【図４】フィールド属性情報を示すデータ構造の例である。
【図５】帳票読取装置における帳票の読取処理を示すフローチャート例である。
【図６】フィールドＩＤの抽出処理を示すフローチャート例である。
【図７】本発明の実施形態に用いられる帳票フォーマット例（２）を示す図である。
【図８】帳票作成装置の構成例を示す図である。
【図９】フィールドＩＤとフィールド属性情報との対応テーブル例を示す図である。
【図１０】帳票作成装置における動作例を示すフローチャート例である。
【符号の説明】
１      帳票読取装置
２      帳票作成装置
１０    イメージリーダー
１１    ＣＰＵ
１１ａ  罫線抽出部（フィールド抽出部）
１１ｂ  フィールドＩＤ抽出部
１１ｃ  属性決定部
１１ｄ  文字認識部
１１ｅ  フィールドＩＤ決定部
１１ｆ  フィールドＩＤ付加部
１１ｇ  印刷制御部
１２    記憶部
１２ａ  フィールドＩＤ位置情報ファイル
１２ｂ  フィールド属性情報ファイル（帳票読取装置）
１２ｃ  フィールド属性情報ファイル（帳票作成装置）
１２ｄ  フィールドＩＤとフィールド属性情報との対応テーブル
【図１】
2004164376.tif 000003
【図２】
2004164376.tif 000004
【図３】
2004164376.tif 000005
【図４】
2004164376.tif 000006
【図５】
2004164376.tif 000007
【図６】
2004164376.tif 000008
【図７】
2004164376.tif 000009
【図８】
2004164376.tif 000010
【図９】
2004164376.tif 000011
【図１０】
2004164376.tif 000012